(57)【要約】【課題】ユーザが入力操作を行っている期間であっても表示デバイスの劣化の均等化や、劣化の速度を低下させることが可能な携帯端末装置を提供すること。【解決手段】ユーザが発信終話キー１４ａ，１４ｂ以外のキーを連続して使用（操作）している場合には、携帯電話機にて、ユーザがゲームや編集作業をしていると推定できる。よって、このゲームや編集作業に関係の無い表示部３０のエリアの表示の輝度階調を低下させることにより、表示デバイスの劣化の均等化や劣化の速度を低下させる。【選択図】図６
2008278065.tif 000002
【特許請求の範囲】
【請求項１】
複数の入力キーからなる入力操作部と、表示部と、前記入力操作部の指示に基づいて前記表示部の表示内容を変更制御する制御部とを備え、
前記制御部は、前記表示部に、前記入力操作部の操作内容が反映される第1の領域と、該操作内容が反映されない第２の領域とを含んで表示制御可能である携帯端末装置において、
前記制御部は、前記入力キーの内の第１のキー以外のキー操作が所定の回数以上連続して行われたことが検出されると、少なくとも前記表示部の前記第２の領域の輝度または階調を前記第１の領域に比べて低下させる第１輝度低下処理を行う、
ことを特徴とする携帯端末装置。
【請求項２】
前記第１のキーは、発信キーまたは終話キーであることを特徴とする請求項１に記載の携帯端末装置。
【請求項３】
前記制御部は、前記入力操作部の操作が行われていない状態が所定時間継続すると、前記表示部を、前記表示部全体の輝度を低下させる第２輝度低下処理あるいは表示を行わない状態とする非表示処理を伴う省電力モードに移行させるよう制御し、当該省電力モードが解除されたときには前記第１輝度低下処理を解除した状態にて表示を行わせる
ことを特徴とする請求項１または２に記載の携帯端末装置。
【請求項４】
前記第２の領域は、自装置の状態を報知するための報知情報表示領域であることを特徴とする請求項１乃至３のいずれか１項に記載の携帯端末装置。
【請求項５】
無線部を備え、
前記制御部は、前記報知情報表示領域に、前記無線部の電波状態を示す電波記号、前記無線部により受信されてから前記表示部に内容表示をまだ行っていないメールが存在することを示すメール記号、の内の少なくとも１つの記号を含んで表示を行うよう前記表示部を制御することを特徴とする請求項４に記載の携帯端末装置。
【請求項６】
バッテリを備え、
前記制御部は、前記報知情報表示領域に、バッテリ残量を示すバッテリ記号を含んで表示を行うよう前記表示部を制御することを特徴とする請求項４に記載の携帯端末装置。
【請求項７】
前記制御部は、前記報知情報表示領域に、日付記号、および時刻記号の内の少なくとも１つの記号を含んで表示を行うよう前記表示部を制御することを特徴とする請求項４に記載の携帯端末装置。
【請求項８】
所定のアプリケーションプログラムの動作に伴って表示の行われる第１の表示領域と、該第１の表示領域外の第２の表示領域とを含む表示部と、
前記表示部の表示内容を変更制御する制御部と、
前記所定のアプリケーションプログラムに対して操作信号を出力する所定のキーを含む複数の入力キーからなる入力操作部と、
前記制御部は、前記所定のキーのキー操作が所定の回数以上連続して行われたことが検出された場合、前記第２の表示領域の輝度を前記第１の表示領域に比べて低下又は消灯させる輝度低下処理を行うことを特徴とする携帯端末装置。
【請求項９】
前記所定のキーは、テンキー、十字キー、及び決定キーの内の少なくとも１つであることを特徴とする請求項８に記載の携帯端末装置。
【請求項１０】
前記入力操作部による設定または初期状態において、前記アプリケーションプログラムの起動が割り付けられた専用キーが存在する場合、当該専用キーの操作が生じると、前記制御部は、前記専用キーの割り付けられたアプリケーションプログラムに対応した前記輝度低下処理を行うことを特徴とする請求項８又は９に記載の携帯端末装置。
【請求項１１】
前記制御部は、前記輝度低下処理の実行される状態において、報知すべき事項が発生すると、前記輝度低下処理を中止することを特徴とする請求項８乃至１０のいずれか１項に記載の携帯端末装置。
【請求項１２】
前記表示部は、複数の発光素子からなる多数の画素が縦横に配されて構成され、
前記制御部は、前記多数の画素毎の発光状態を制御することにより前記表示部の表示内容を変更することを特徴とする請求項１乃至１１の何れか１項に記載の携帯端末装置。
【発明の詳細な説明】
【技術分野】
【０００１】
本発明は、携帯端末装置に係り、特にディスプレイの不均一な劣化（いわゆる焼付き）を軽減することのできる携帯端末装置に関する。
【背景技術】
【０００２】
近年、インターネットや電子メールの普及ならびに通信網の整備に伴って、オフィスや家庭といった位置的に固定された場所以外の場所から各種情報にアクセスする機会が増加している。これと共に、携帯電話機、ＰＨＳ（Ｐｅｒｓｏｎａｌ  ＨａｎｄｙｐｈｏｎｅＳｙｓｔｅｍ）あるいはＰＤＡ（ｐｅｒｓｏｎａｌ  ｄｉｇｉｔａｌ  ａｓｓｉｓｔａｎｔｓ）等の携帯端末装置が広く使用されるようになってきている。また、これらの携帯端末装置も通常のコンピュータと同様に各種の情報をカラフルに表示する要請が高くなっており、カラー液晶ディスプレイの使用も急速に普及している。
【０００３】
ところでこのような携帯端末装置のディスプレイには、従来の液晶ディスプレイ（ＬＣＤ）と共にＥＬ（Ｅｌｅｃｔｒｏｌｕｍｉｎｅｓｃｅｎｃｅ）表示器の使用が注目されている。ＥＬ表示器は電圧を印加すると発光する性質をもった物質であり、炭素などの有機物を含むものは有機ＥＬ（以下、ＯＬＥＤ（Ｏｒｇａｎｉｃ  Ｌｉｇｈｔ−Ｅｍｉｔｔｅｄ  Ｄｉｏｄｅ）とも称する）と呼ばれている。
【０００４】
有機ＥＬ表示器は、ＣＲＴ（Ｃａｔｈｏｄｅ  Ｒａｙ  Ｔｙｂｅ）やプラズマ同様、自発光型のディスプレイであり、高輝度、高解像度、高コントラスト、広視野角、超薄型および低消費電力といった様々な特徴（特長）を持っている。このため、小型で電力消費に制限がある携帯端末装置への使用に注目が集まっている。有機ＥＬ素子は単色で緑色、青色、赤色等の色に発光するものがあり、これらを組み合わせることでマルチカラーディスプレイを構成することができる。また、表示応答速度が非常に早く、液晶ディスプレイの１０００倍程度であるため、スムーズな動画を表示することができる。また、濃淡を表現することができるだけでなく、バックライトを必要としないために薄型となり、使い方によっては、更に電力の消費を抑えることができる。
【０００５】
ところが、このように優れた特性を有するＥＬ表示デバイスは、表示（発光）の行われる時間に比例してその輝度が低下するという問題がある。ＥＬ表示デバイスでは、個々のＥＬ表示素子が発光を制御されて全体としてカラー等の画像が構成される。このため、例えばメニュー画面を表示する場合のように、ディスプレイ上で常に同じ位置を点灯（発光）させていると、その箇所のＥＬ表示素子は他の箇所のＥＬ表示素子に比べて早く劣化が進行することになる。劣化が生じるとその部分の輝度が低下する（焼付き）。したがって、ＥＬ表示素子間で劣化の程度に差が生じ、ディスプレイ上で、輝度が高い部分と低い部分が明確な差となって現れるようになる。
【０００６】
携帯電話機に代表される携帯端末装置では、動画を見たりする場合よりも、テキスト情報を読む場合のように、同じ静止画を長時間表示させる用途が比較的多い。したがって、ディスプレイ全体を均等に使用する使用形態よりも表示に偏りを引き起こす使用形態をとる危険性が多い。このため、ＯＬＥＤにおいては表示素子の劣化（焼付き等）により、ディスプレイを構成する画素の表示態様にばらつきが生じると、これが輝度のばらつきとして現れてしまい、画像の表示の品質を低下させるという問題がある。また、ＬＣＤにおいても、やはり長時間表示によって、液晶の焼付きが起こり得るため、同様の表示品質低下の問題が生じる可能性がある。
【０００７】
そこで、上記した焼付き現象の対策を施した端末が種々提案されている（例えば特許文献１〜４参照）。
【０００８】
特許文献１には、データ表示の表示速度を設定し、設定された速度で画像を表示させる無線通信端末が開示されている。特許文献２には、外部電源の接続を検知したときに表示の反転表示と非反転表示の切換えを行う表示装置が開示されている。特許文献３には、表示エリアを複数に分割して時間に応じて表示エリアを変更する端末装置が開示されている。特許文献４には、ＲＧＢ各発光素子のうち、発光輝度の経時的劣化速度が大きい素子に対応する色ほど、画像の白表示部を構成するＲＧＢ比率が小さくなるように、計算により画像の白表示の色度座標を決定する携帯型電話機が開示されている。
【特許文献１】特開２００２−２６８６０１号公報
【特許文献２】特開２００３−１８６４３４号公報
【特許文献３】特開２００３−２２３１６０号公報
【特許文献４】特開２００３−２８０５８８号公報
【発明の開示】
【発明が解決しようとする課題】
【０００９】
しかしながら、従来の技術では、ユーザが入力操作を所定時間行っていない場合に、スクリーンセーバ表示等を行うなどして、表示デバイスの劣化の均等化や、劣化の速度を低下させることができるものの、ユーザが入力操作を行っている期間（例えば、メール文章を入力している期間等）については、表示デバイスの劣化の均等化や、劣化の速度を低下させることができない（手段を持たない）というという問題があった。
【００１０】
本発明は、上記問題に基づいてなされたものであり、ユーザが入力操作を行っている期間であっても表示デバイスの劣化の均等化や、劣化の速度を低下させることが可能な携帯端末装置を提供することを目的とする。
【課題を解決するための手段】
【００１１】
本発明に係る携帯端末装置は、上記課題を解決するために、複数の入力キーからなる入力操作部と、表示部と、前記入力操作部の指示に基づいて前記表示部の表示内容を変更制御する制御部とを備え、前記制御部は、前記表示部に、前記入力操作部の操作内容が反映される第1の領域と、該操作内容が反映されない第２の領域とを含んで表示制御可能である携帯端末装置において、前記制御部は、前記入力キーの内の第１のキー以外のキー操作が所定の回数以上連続して行われたことが検出されると、少なくとも前記表示部の前記第２の領域の輝度または階調を前記第１の領域に比べて低下させる第１輝度低下処理を行う、ことを特徴とする。
【００１２】
また、携帯端末装置では、前記第１のキーは、発信キーまたは終話キーであることが好ましい。
【００１３】
また、携帯端末装置では、前記制御部は、前記入力操作部の操作が行われていない状態が所定時間継続すると、前記表示部を、前記表示部全体の輝度を低下させる第２輝度低下処理あるいは表示を行わない状態とする非表示処理を伴う省電力モードに移行させるよう制御し、当該省電力モードが解除されたときには前記第１輝度低下処理を解除した状態にて表示を行わせることが好ましい。
【００１４】
また、携帯端末装置では、前記第２の領域は、自装置の状態を報知するための報知情報表示領域であることが好ましい。
【００１５】
また、本発明に係る携帯端末装置は、上記課題を解決するために、無線部を備え、
前記制御部は、前記報知情報表示領域に、前記無線部の電波状態を示す電波記号、前記無線部により受信されてから、前記表示部に内容表示をまだ行っていないメールが存在することを示すメール記号、の内の少なくとも１つの記号を含んで表示を行うよう前記表示部を制御することを特徴とする。
【００１６】
また、携帯端末装置では、バッテリを備え、前記制御部は、前記報知情報表示領域に、バッテリ残量を示すバッテリ記号を含んで表示を行うよう前記表示部を制御することが好ましい。
【００１７】
また、携帯端末装置では、前記制御部は、前記報知情報表示領域に、日付記号、および時刻記号の内の少なくとも１つの記号を含んで表示を行うよう前記表示部を制御することが好ましい。
【００１８】
また、携帯端末装置では、所定のアプリケーションプログラムの動作に伴って表示の行われる第１の表示領域と、該第１の表示領域外の第２の表示領域とを含む表示部と、前記表示部の表示内容を変更制御する制御部と、前記所定のアプリケーションプログラムに対して操作信号を出力する所定のキーを含む複数の入力キーからなる入力操作部と、前記制御部は、前記所定のキーのキー操作が所定の回数以上連続して行われたことが検出された場合、前記第２の表示領域の輝度を前記第１の表示領域に比べて低下又は消灯させる輝度低下処理を行うことが好ましい。
【００１９】
また、携帯端末装置では、前記所定のキーは、テンキー、十字キー、及び決定キーの内の少なくとも１つであることが好ましい。
【００２０】
また、携帯端末装置では、前記入力操作部による設定または初期状態において、前記アプリケーションプログラムの起動が割り付けられた専用キーが存在する場合、当該専用キーの操作が生じると、前記制御部は、前記専用キーの割り付けられたアプリケーションプログラムに対応した前記輝度低下処理を行うことが好ましい。
【００２１】
また、携帯端末装置では、前記制御部は、前記輝度低下処理の実行される状態において、報知すべき事項が発生すると、前記輝度低下処理を中止することが好ましい。
【００２２】
また、携帯端末装置では、前記表示部は、複数の発光素子からなる多数の画素が縦横に配されて構成され、前記制御部は、前記多数の画素毎の発光状態を制御することにより前記表示部の表示内容を変更することが好ましい。
【発明の効果】
【００２３】
本発明によれば、表示器の画素の劣化（焼付き）の均等化や、劣化の速度を低下させることができる。
【発明を実施するための最良の形態】
【００２４】
以下、図面を参照して本発明を実施するための最良の形態を説明する。なお、以下、携帯端末装置として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００２５】
図１から図３により、携帯電話機１における基本構造を説明する。図１は、携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００２６】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００２７】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２におけるフロントケース２ａに配置される操作キー群１１とが同じ側を向くように配置された状態であり、裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００２８】
操作部側筐体２は、外面がフロントケース２ａとリアケース２ｂにより構成される。この操作部側筐体２は、フロントケース２ａ側に、操作キー群（入力操作部とも称する）１１と、携帯電話機１の使用者が通話時に発した音声が入力される音声入力部（マイク）１２とがそれぞれ露出するように構成される。ここで、操作キー群１１は、各種設定や電話帳機能やメール機能等の各種機能を作動させるための機能設定操作キー（ファンクションキーとも称する）１３と、電話番号の数字やメール等の文字等を入力するための入力操作キー１４（発信キー１４ａ、終話キー１４ｂ、クリアキー１４ｃ、及びテンキー１５ｄを含む）と、各種操作における決定や上下左右方向のスクロール等を行う決定操作キー１５（上下左右キー（十字キーとも称する）１５ａ及び決定キー１５ｂを含む）と、から構成されている。また、マイク１２は、操作部側筐体２の長手方向における連結部４側とは反対の外端部側に配置される。つまり、マイク１２は、携帯電話機１が開状態において一方の外端部側に配置される。
【００２９】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００３０】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子１９とが設けられている。なお、インターフェース１６、ヘッドホン端子／マイク端子１７及びインターフェース１８は、不使用時において着脱可能な防塵対策用のキャップで覆われている。
【００３１】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００３２】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側に配置される。また、操作部側筐体２におけるリアケース２ｂには、詳細は後述するバッテリの収容部にバッテリを装着するための開口部が形成されると共に、該開口部を塞ぐようにバッテリーリッド２５が配置される。
【００３３】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００３４】
また、表示部側筐体３は、外面がフロントケース３ａとリアケース３ｂにより構成される。表示部側筐体３におけるフロントケース３ａには、図１に示すように、各種情報を表示するための所定形状のディスプレイ３０と、通話の相手側における音声を出力する音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００３５】
また、表示部側筐体３のリアケース３ｂには、図３に示すように、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００３６】
なお、本実施形態においては、連結部４により折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが一つの筐体に配置され連結部を有さない型式（ストレートタイプ）でも良い。
【００３７】
次に、図４の機能ブロック図を参照して、携帯電話機１の各機能について説明する。携帯電話機１は、図４に示すように、第１の通信規格に準拠する通信網である移動体通信網と通信可能な第１の通信部（第１の通信手段）１００と、第２の通信規格に準拠する通信網である無線ＬＡＮ通信網と通信可能な第２の通信部（第２の通信手段）２００と、所定の処理を行う処理部２０１と、ＣＰＵ２０２と、表示素子劣化コントロール用制御部３００を備えている。また、バッテリ９０は、第１の通信部１００と、第２の通信部２００と、処理部２０１に対して電源を供給している。また、ＣＰＵ２０２（ディスプレイ３０の表示内容を入力制御部１１の操作に応じて変更制御する表示制御手段としての機能を含む）は、第１の通信部（無線部とも称する）１００と、第２の通信部（無線部とも称する）２００と、処理部２０１に対して所定の制御を行う。さらに、ＣＰＵ２０２の制御により表示素子劣化コントロール用制御部３００は、連携（協働）して、処理部２０１に対して所定の制御を行う。尚、表示素子劣化コントロール用制御部３００を機能的に記載すると、制御部３２０内にＣＰＵ２０２が含まれる（後述の図５参照）。以降、このＣＰＵ２０２を含んだ表示素子劣化コントロール用制御部３００を、便宜上、制御部３２０とも称する。
【００３８】
第１の通信部１００は、所定の通信方式（移動体通信網、例えば、ＣＤＭＡ（Ｃｏｄｅ  Ｄｉｖｉｓｉｏｎ  Ｍｕｌｉｔｉｐｌｅ  Ａｃｃｅｓｓ）２０００＿１ｘ等に準拠）に基づいて、基地局を介して他の通信端末装置との間で電話による通信やメールによる通信や、インターネット上から所定のＵＲＬを有するＷｅｂページのダウンロード等を行うアンテナ部８１と、送信回路と受信回路（図示せず）とにより構成される通信処理部１０１と、を備える。
【００３９】
また、第２の通信部２００は、所定の通信方式（無線ＬＡＮ、例えば、ＩＥＥＥ８０２．１１等に準拠）に基づいて、基地局を介して他の通信端末装置との間で電話による通信やメールによる通信や、インターネット上から所定のＵＲＬを有するＷｅｂページのダウンロード等を行うアンテナ部８０（メインアンテナ）と、送信回路と受信回路（図示せず）とにより構成される通信処理部２０３と、を備える。
【００４０】
また、処理部２０１は、操作キー群（入力操作部）１１と、マイク１２と、ＬＣＤやＯＬＥＤ等から成るディスプレイ（表示部）３０と、音声出力部３１と、所定のデータが格納されているメモリ２０４と、所定の音処理を行う音処理部２０５と、所定の画像処理を行う画像処理部２０６と、被写体を撮像するカメラ部２３と、着信音等が出力されるスピーカ２０７等を備えている。
【００４１】
次に、本発明のディスプレイを構成する表示素子の劣化（焼付き）をコントロール（劣化の均等化や劣化の速度を低下）するための表示素子劣化コントロール用制御部３００の構成について説明する。
【００４２】
尚、以下の説明では、本来、記憶部は制御部３２０中には物理的に設けられているものではないが、表示素子劣化コントロール用制御部３００の処理プログラムがメモリ内のワークエリアを用いて制御部３２０にて処理されており、この処理プログラムはメモリ上に適宜記憶領域が設けられているので、仮想的に制御部３２０内に記憶領域を含むように図示する。
【００４３】
図５に示すように、表示素子劣化コントロール用制御部３００は、少なくとも、ＣＰＵ２０２と、演算部３０２と、メモリ部（キーカウンタ３０３、ＲＯＭ３０４及びワーク用ＲＡＭ３０５）と、入出力手段（図示せず）とを有し、演算部３０２が前述または後述の各種機能手段として機能する。
【００４４】
演算部３０２は、機能手段として、キー入力監視手段３０７、省電力モード移行手段３０８、第１のキー操作回数検出手段３０９、第２のキー操作回数検出手段３１０、第１の輝度低下処理手段３１１、及び第２の輝度低下処理手段３１２を備える。
【００４５】
ＣＰＵ２０２は、ＲＯＭ３０４に記憶されたプログラムに従って、表示素子劣化コントロール用制御部３００すなわち制御部３２０全体を制御する。ＲＯＭ３０４は、表示素子劣化コントロールを行うためのプログラム等を記憶している。ワーク用ＲＡＭ３０５は、ＣＰＵ２０２や演算部３０２がプログラム実行時に一時的に使用する記憶領域である。
【００４６】
キー入力監視手段３０７は、入力操作部１１の操作が行われていない時間を監視する。省電力モード移行手段３０８は、キー入力監視手段３０７により、所定時間入力操作部１１の操作が行われていないことが検出された場合、表示部３０を省電力モードに移行させる（例えば、表示部３０がＬＣＤである場合にはバックライトの照明を暗くし、表示部３０がＯＬＥＤである場合には発光素子の発光輝度を低下させる）。さらには、いずれの場合でも表示自体を非表示としてもよい。
【００４７】
第１のキー操作回数検出手段３０９は、入力キー（入力操作部１１を構成する複数のキー）の内の第１の所定のキー（例えば、発信キー又は終話キー１４ａ，１４ｂ）以外のキー操作が所定の回数以上連続して行われたか否かを検出する。第１の輝度低下処理手段３１１は、第１のキー操作回数検出手段３０９により、上述の入力キーの内の第１の所定のキー以外のキー操作が所定の回数以上連続して行われたことが検出された場合、少なくとも表示部３０の表示領域の内、入力操作部１１の操作内容が反映されない第２の領域（報知情報表示領域）の輝度や表示階調を、入力操作部１１の操作内容が反映される第１の領域に比べて低下させる輝度低下処理を行う。また、第１の領域を消しても良い。尚、報知情報表示領域には、例えば、無線部の電波状態を示す電波ピクト（絵記号）３２１、無線部１００又は２００により受信されるメールのうち、表示部３０に内容表示を行っていないメールが存在することを示すメール記号３２４、バッテリ残量を示すバッテリ記号３２０、日付ピクト３２２、及び時刻ピクト３２３等が含まれる（図６参照）。
【００４８】
第２のキー操作回数検出手段３１０は、入力キーの内の第２の所定のキー（例えば、テンキー１４ｄ，十字キー（上下左右キー）１５ａ，及び決定キー１５ｂ）のキー操作が所定の回数以上連続して行われたか否かを検出する。第２の輝度低下処理手段３１２は、第２のキー操作回数検出手段３１０により、上述の入力キーの内の第２の所定のキーのキー操作が所定の回数以上連続して行われたことが検出された場合、所定のアプリケーションプログラムの動作に伴って表示の行われる表示領域以外の表示領域である第２の表示領域の輝度や表示階調を、上述の所定のアプリケーションプログラムの動作に伴って表示の行われる表示領域である第１の表示領域に比べて低下又は消灯させる輝度低下処理を行う。
【００４９】
図６は、ごく一般的な携帯電話機の一例を示した図である。近年、殆どの携帯電話機においては、電話機としての機能以外を使用する場合が殆どである。ユーザが長時間キー操作をするシーンの例として、メール作成やスケジュール入力といった編集作業や、電卓やゲームといったアプリケーション機能使用時がある。この場合、ユーザが連続して使用する頻度の高いキーとしては、文字入力をするテンキー１４ｄ、表示画像上のカーソルを移動させる上下左右キー１５ａ、及び決定キー１５ｂが挙げられる。その次に、クリアキー１４ｃ、ファンクションキー１３が使用されると推定できる。
【００５０】
クリアキー１４ｃは、前回キー操作した内容を消す或いは無効にするキーである。ファンクションキー１３は、ある特定のモードに直接遷移したり、或いは操作内容に応じて機能を持たせることが可能なキーである（ユーザ操作により、所定のアプリケーションプログラムを割り当てることも可能）。それに対して、発信キー１４ａや終話キー４ｂは編集やアプリケーション機能を終了、或いは着信等により中断する以外には殆ど使用しない。尚、本実施形態では、アプリケーションプログラムが割り当てられていて、操作（ワンプッシュ）することにより、直ちに所定のアプリケーションが立ち上がる（起動される）専用キー３２５が設けられている。
【００５１】
一方、携帯電話機の表示部３０には、一般的には、電池（バッテリ）残量を表示するバッテリピクト３２０、電波状態を示す電波ピクト３２１、日付ピクト３２２、時刻ピクト３２３、及び未読メール有りを示すメールピクト３２４等の固定表示が有り、ユーザがキー操作等により意図的に消さない限り、ＣＰＵ２０２の制御によって表示部３０に固定的に、常時表示されている。しかし、これらの固定表示（ピクト）は、例えば電池残量に関しては残量が多い場合には特に常時表示しておく必要は無いし、日付や時間も必ず常時表示をしておく必要は無い。また、電波状態にしても電話としての機能を使用しているとき以外には常時表示をしておく必要は無い。
【００５２】
本発明は、これらの常時表示しておく必要の無いピクト表示や、その他、携帯電話機の各種の機能を使用する際に、必ずしも表示の必要が無いものを薄く表示、又は消灯させてしまうことにより、表示部３０を構成する表示デバイスの劣化の均等化や劣化の速度を低下させようとするものである。
【００５３】
以降、３つの実施形態に基づいて詳細に説明する。尚、各実施形態の構成は同一（説明済み）であるので、図７乃至図９のフローチャートを参照して、動作について説明する。
【００５４】
（第１実施形態）
図７は本発明の第１実施形態について説明するためのフローチャートである。例えば、ユーザが発信キーまたは終話キー１４ａ，１４ｂ以外のキーを連続して使用（操作）している場合には、携帯電話機にて、ユーザがゲームや編集作業をしていると推定できる。よって、このゲームや編集作業に関係の無い表示部３０のエリアの表示を非表示（消灯）とすることが可能である。第１実施形態はこの処理（動作）を行うことにより、表示デバイスの劣化の均等化や劣化の速度を低下させようとするものである。
【００５５】
先ず、ステップＳ１０において、表示素子劣化コントロール用制御部３００（制御部３２０）は、携帯電話機１のフリップを開きキー操作を行ったり着信する等の何らかのイベントが発生したか否かを判別する。何らイベントが発生していないと判別された場合には、処理をステップＳ１０に移し、イベントの発生が判別された場合には、処理をステップＳ１１に移す。
【００５６】
ステップＳ１１に移行すると、制御部３２０は、表示部３０の画面表示又は更新を行ってピクト（絵記号）を点灯する。なお、この段階では、輝度低下処理を行わず、予めユーザ操作にて設定された輝度にて、全体表示を行う。その後処理をステップＳ１２に移す。
【００５７】
ステップＳ１２に移行すると、制御部３２０は、所定時間、入力操作部１１からのキー操作が行われていないかどうかを調べる。操作が行われていないと判断された場合には、処理をステップＳ２０に移し、表示部３０を前述の省電力モードに移行させ、処理をステップＳ１０に移す。所定時間内に操作が行われていると判断された場合、処理をステップＳ１３に移す。
【００５８】
ステップＳ１３に移行すると、制御部３２０は、表示部３０の画面表示又は更新を行ってピクトを点灯する。その後処理をステップＳ１４に移し、キーカウンタを０クリアし、処理をステップＳ１５に移す。
【００５９】
ステップＳ１５に移行すると、制御部３２０は、行われたキー操作が、発信終話キー以外のキー操作であるか否かを調べる。キー操作が発信終話キーの操作であると判断された場合には、処理をステップＳ１３に移す。キー操作が発信終話キー以外の操作であると判断された場合には、処理をステップＳ１６に移す。
【００６０】
ステップＳ１６に移行すると、制御部３２０は、表示部３０の画面表示又は更新を行ってピクトを点灯する。その後処理をステップＳ１７に移し、キーカウンタに１を加算し、処理をステップＳ１８に移す。
【００６１】
ステップＳ１８に移行すると、制御部３２０は、キーカウンタ値が所定値以上であるか否かを調べる。キーカウンタ値が所定値未満であると判断された場合には、処理をステップＳ１５に移す。キーカウンタ値が所定値以上であると判断された場合には、処理をステップＳ１９に移す。
【００６２】
ステップＳ１９に移行すると、制御部３２０は、第１の輝度低下処理手段による輝度低下処理を実行し、処理を終了する。
【００６３】
（第２実施形態）
図８は本発明の第２実施形態について説明するためのフローチャートである。例えば、ユーザが、テンキー１４ｄ、十字キー１５ａ、及び決定キー１５ｂを連続して使用（操作）している場合には、携帯電話機にて、ユーザがアプリケーション機能の使用や編集作業をしているものと推定できる。よって、このアプリケーション機能の使用や編集作業に関係の無い表示部３０のエリアの表示を非表示（消灯）することが可能である。第２実施形態はこの処理（動作）を行うことにより、表示デバイスの劣化の均等化や劣化の速度を低下させようとするものである。
【００６４】
先ず、ステップＳ３０において、制御部３２０は、携帯電話機１のフリップを開きキー操作を行ったり着信する等の何らかのイベントが発生したか否かを判別する。何らイベントが発生していないと判別された場合には、処理をステップＳ３０に移し、イベントの発生が判別された場合には、処理をステップＳ３１に移す。
【００６５】
ステップＳ３１に移行すると、制御部３２０は、表示部３０の画面表示又は更新を行ってピクトを点灯する。その後処理をステップＳ３２に移す。
【００６６】
ステップＳ３２に移行すると、制御部３２０は、所定時間、入力操作部１１からのキー操作が行われていないかどうかを調べる。操作が行われていないと判断された場合には、処理をステップＳ４０に移し、表示部３０を前述の省電力モードに移行させ、処理をステップＳ３０に移す。所定時間内に操作が行われていると判断された場合、処理をステップＳ３３に移す。
【００６７】
ステップＳ３３に移行すると、制御部３２０は、表示部３０の画面表示又は更新を行ってピクトを点灯する。なお、この段階では、輝度低下処理を行わず、予めユーザ操作にて設定された輝度にて、全体表示を行う。その後処理をステップＳ３４に移し、キーカウンタを０クリアし、処理をステップＳ３５に移す。
【００６８】
ステップＳ３５に移行すると、制御部３２０は、行われたキー操作が、テンキー１４ｄ、十字キー１５ａ、及び決定キー１５ｂのキー操作であるか否かを調べる。キー操作がテンキー１４ｄ、十字キー１５ａ、及び決定キー１５ｂのキーの操作でないと判断された場合には、処理をステップＳ３３に移す。キー操作がテンキー１４ｄ、十字キー１５ａ、及び決定キー１５ｂのキー操作であると判断された場合には、処理をステップＳ３６に移す。
【００６９】
ステップＳ３６に移行すると、制御部３２０は、表示部３０の画面表示又は更新を行ってピクトを点灯する。その後処理をステップＳ３７に移し、キーカウンタに１を加算し、処理をステップＳ３８に移す。
【００７０】
ステップＳ３８に移行すると、制御部３２０は、キーカウンタ値が所定値以上であるか否かを調べる。キーカウンタ値が所定値未満であると判断された場合には、処理をステップＳ３５に移す。キーカウンタ値が所定値以上であると判断された場合には、処理をステップＳ３９に移す。
【００７１】
ステップＳ３９に移行すると、制御部３２０は、第２の輝度低下処理手段による輝度低下処理を実行し、処理を終了する。
【００７２】
（第３実施形態）
図９は本発明の第３実施形態について説明するためのフローチャートである。例えば、ユーザがアプリケーションプログラムを実行し易いように、ファンクションキー１３又は専用キー３２５にアプリケーションプログラムの割付けを行っている場合等には、ファンクションキー１３又は専用キー３２５を操作した時点で、どのアプリケーションが選択されたかが分かる（第１の領域（第１の表示領域）及び第２の領域（第２の表示領域）が分かる）。そのため、当該アプリケーション機能の使用に関係の無い表示部３０のエリアが分かるので、そのエリア（領域）の表示を、即座に非表示（消灯）とすることが可能である。第３実施形態はこの処理（動作）を、ファンクションキー１３又は専用キー３２５が操作された時点で、即座に行うことにより、表示デバイスの劣化の均等化や劣化の速度を低下させようとするものである。
【００７３】
先ず、ステップＳ５０において、制御部３２０は、携帯電話機１のフリップを開きキー操作を行ったり着信する等の何らかのイベントが発生したか否かを判別する。何らイベントが発生していないと判別された場合には、処理をステップＳ５０に移し、イベントの発生が判別された場合には、処理をステップＳ５１に移す。
【００７４】
ステップＳ５１に移行すると、制御部３２０は、表示部３０の画面表示又は更新を行ってピクトを点灯する。なお、この段階では、輝度低下処理を行わず、予めユーザ操作にて設定された輝度にて、全体表示を行う。その後処理をステップＳ５２に移す。
【００７５】
ステップＳ５２に移行すると、制御部３２０は、所定時間、入力操作部１１からのキー操作が行われていないかどうかを調べる。操作が行われていないと判断された場合には、処理をステップＳ５５に移し、表示部３０を前述の省電力モードに移行させ、処理をステップＳ５０に移す。所定時間内に操作が行われていると判断された場合、処理をステップＳ５３に移す。
【００７６】
ステップＳ５３に移行すると、制御部３２０は、行われたキー操作が、ファンクションキー１３又は専用キー３２５の操作であるか否かを調べる。キー操作がファンクションキー１３又は専用キー３２５のキー操作でないと判断された場合には、処理をステップＳ５１に移す。キー操作がファンクションキー１３又は専用キー３２５のキー操作であると判断された場合には、処理をステップＳ５４に移す。
【００７７】
ステップＳ５４に移行すると、制御部３２０は、第２の輝度低下処理手段による輝度低下処理を実行し、処理を終了する。
【００７８】
以上、本発明によれば、以下の効果を有する。
【００７９】
従来、ユーザがキー操作可能な携帯端末装置において長時間キー操作をしている場合、使用しているアプリケーションプログラムによって、表示部に使用しない領域が存在した場合でも、その領域には何らかの固定表示（報知情報等）がなされていたが、本発明により、ユーザが特に意識することなく、自動で、それらアプリケーションで不使用の領域の表示を薄くしたり、消灯させたりすることを可能としたので、表示デバイスの劣化（焼付き）の均等化や、劣化の速度を低下させることができる。
【００８０】
以上、実施例について説明したが、本発明はこれに限られるものではない。
【００８１】
すなわち、輝度低下処理は、着信等割り込みイベントが発生した際、あるいは発信終話キーをユーザが操作した際には、中止するようにしても良い。また、ユーザに注意を喚起すべき事項（状態遷移等）が発生した場合、例えば、電池残量の低下や電波状態の悪化等が発生した場合等においても、輝度低下処理を中止するようにしても良い。さらに、実施例中で、表示領域の輝度を低下又は消灯させるとあるが、焼付き度合いを緩和させるような所定の動作（色を変更する等）を行わせるようにしても良い。
【図面の簡単な説明】
【００８２】
【図１】携帯電話機を開いた状態（第１開状態）における正面図を示す。
【図２】（Ａ）携帯電話機を開いた状態における左側面図を示し、（Ｂ）携帯電話機を開いた状態における右側面図を示す。
【図３】携帯電話機を開いた状態における背面図を示す。
【図４】本発明に係る携帯電話機の機能を示すブロック図である。
【図５】表示素子劣化コントロール用制御部の構成について説明するための図である。
【図６】一般的な携帯電話機のキー配置及び表示部の表示例を示した図である。
【図７】本発明の第１実施形態について説明するためのフローチャートである。
【図８】本発明の第２実施形態について説明するためのフローチャートである。
【図９】本発明の第３実施形態について説明するためのフローチャートである。
【符号の説明】
【００８３】
１  携帯電話機
２  操作部側筐体
２ａ、３ａ  フロントケース
２ｂ、３ｂ  リアケース
３  表示部側筐体
４  連結部
１１  操作キー群
１２  マイク
２３  カメラ部
３０  ディスプレイ
３１  音声出力部
８０，８１  アンテナ
１００  第１の通信部
１０１，２０３  通信処理部
２００  第２の通信部
２０１  処理部
２０２  ＣＰＵ
２０４  メモリ
２０５  音処理部
２０６  画像処理部
２０７  スピーカ
３００  表示素子劣化コントロール用制御部
３０２  演算部
３０３  キーカウンタ
３０４  プログラムＲＯＭ
３０５  ワークＲＡＭ
３０７  キー入力監視手段
３０８  省電力モード移行手段
３０９  第１のキー操作回数検出手段
３１０  第２のキー操作回数検出手段
３１１  第１の輝度低下処理手段
３１２  第２の輝度低下処理手段
３２０  制御部
【図１】
2008278065.tif 000003
【図２】
2008278065.tif 000004
【図３】
2008278065.tif 000005
【図４】
2008278065.tif 000006
【図５】
2008278065.tif 000007
【図６】
2008278065.tif 000008
【図７】
2008278065.tif 000009
【図８】
2008278065.tif 000010
【図９】
2008278065.tif 000011